(57)【要約】【課題】ベース片の変歪を防止でき、従って、ハンガバー自体の重量を含めてこのハンガバーに負荷される重量商品を、安定的に支持可能にする。【解決手段】上部Ｌ字状支持片１６および下部Ｌ字状支持片１７間の前部開口からハンガバーＢ先端の第１の鍔片２１を第１の空隙Ｇ１内に、また、前記ハンガバーＢ先端の第２の鍔片２２を第２の空隙Ｇ２内にそれぞれ挿入させ、続くハンガバーＢの回動によって、第１の鍔片２１が上部垂下片１３および下部起立片１４に対し、第２の鍔片２２が上部Ｌ字状支持片１６および下部Ｌ字状支持片１７に対し、それぞれ同一水平面内で重なる構成とした。【選択図】図２
2010094431.tif 000002
【特許請求の範囲】
【請求項１】
室内壁面等の被取付面に固定され、商品陳列用のハンガバーの一端部を保持するハンガバー保持装置であって、
板状のベース片と、
このベース片前面の上下部に一体に設けられた化粧板固定部と、
これらの化粧板固定部の互いに対向する側の前記ベース片前面にそれぞれ一体に設けられて、前記ベース片とともに前記被取付面にねじ固定されるベース片固定部と、
これらのベース片固定部を繋ぐように前記ベース片の前方に垂直に連設された補強片と、
これらのベース片固定部のそれぞれに繋がれ、前記補強片の前方に第１の空隙を介在するように垂直に設けられた上部垂下片および下部起立片と、
これらのベース片固定部のそれぞれに繋がれ、前記上部垂下片および下部起立片の前方に第２の空隙を介在するように対称配置された上部Ｌ字状支持片および下部Ｌ字状支持片と、
を備え、
前記上部Ｌ字状支持片および下部Ｌ字状支持片間の前部開口から前記ハンガバー先端の第１の鍔片を前記第１の空隙内に、また、前記ハンガバー先端の第２の鍔片を前記第２の空隙内にそれぞれ挿入させ、続く前記ハンガバーの回動によって、前記第１の鍔片が前記上部垂下片および下部起立片に対し、第２の鍔片が前記上部Ｌ字状支持片および下部Ｌ字状支持片に対し、それぞれ同一水平面内で重なるように構成されてなることを特徴とするハンガバー保持装置。
【発明の詳細な説明】
【技術分野】
【０００１】
本発明は、商品陳列用のハンガバーを室内壁面等に着脱可能に水平保持するハンガバー保持装置に関する。
【背景技術】
【０００２】
室内壁面等の被取付面に複数の壁面部材を上下方向に列設し、これらの列設間に商品陳列用のハンガを係脱自在に保持させるための長溝を形成する取付部材を設けて室内壁面等を形成すれば、その長溝の適宜位置にハンガを掛け止めすることができ、商品陳列に適する（例えば、特許文献１参照）。
この場合には、前記壁面部材を被取付面と平行離間して取り付ける場合に、長溝を通して被取付面が露出するため、ハンガ掛止部分を最小にし、壁面部材によって室内等の陳列場所の美観を高める上で大きな障害となる。
【０００３】
これに対して、基部プレートの前部に蟻溝部を形成する構成部材に上下方向から延出する一対の区画壁を設け、この区画壁によって形成されたハンガ係止部に区画壁と同様に一対の係止用壁を形成した商品陳列用壁面構成部材が提案されている（例えば、特許文献２参照）。これによれば、基部プレートと区画壁との間に装飾プレートを介在することによって被取付面が露出するのを回避でき、一方、区画壁やハンガ係止部にハンガの一端を簡単に片持ち支持することができる。
【特許文献１】特公昭６１−１０１２２号公報
【特許文献２】特公平０３−１８８８５号公報
【発明の開示】
【発明が解決しようとする課題】
【０００４】
しかしながら、かかる従来の商品陳列用壁面構成部材にあっては、一枚の基部プレート上に２枚の前記構成部材を対向するように立ち上げ、また区画壁も各一端がフリー状態で構成部材に対して単独に設けられているため、これらにハンガの一端を保持させた場合に、ハンガに対する過重負荷が大きくなると、前記区画壁、前記構成部材のほか基部プレートまでが簡単に開くように撓み変形し、区画壁が作る蟻溝からハンガが簡単に脱落してしまうほか、前記装飾プレートが区画壁の内側で位置ズレするなどの不都合があった。
【０００５】
本発明は前記従来の問題点に着目してなされたものであり、前記構成部材や区画壁の補強を図ることで、基部プレートとしてのベース片の変歪を防止でき、従って、ハンガバー自体の重量を含めてこのハンガバーに負荷される商品の重量を、十分に安定的に支持することができるハンガバー保持装置を提供することを目的とする。
【課題を解決するための手段】
【０００６】
前記目的達成のために、本発明にかかるハンガバー保持装置は、室内壁面等の被取付面に固定され、商品陳列用のハンガバーの一端部を保持するハンガバー保持装置であって、板状のベース片と、このベース片前面の上下部に一体に設けられた化粧板固定部と、これらの化粧板固定部の互いに対向する側の前記ベース片前面にそれぞれ一体に設けられて、前記ベース片とともに前記被取付面にねじ固定されるベース片固定部と、これらのベース片固定部を繋ぐように前記ベース片の前方に垂直に連設された補強片と、これらのベース片固定部のそれぞれに繋がれ、前記補強片の前方に第１の空隙を介在するように垂直に設けられた上部垂下片および下部起立片と、これらのベース片固定部のそれぞれに繋がれ、前記上部垂下片および下部起立片の前方に第２の空隙を介在するように対称配置された上部Ｌ字状支持片および下部Ｌ字状支持片と、を備え、前記上部Ｌ字状支持片および下部Ｌ字状支持片間の前部開口から前記ハンガバー先端の第１の鍔片を前記第１の空隙内に、また、前記ハンガバー先端の第２の鍔片を前記第２の空隙内にそれぞれ挿入させ、続く前記ハンガバーの回動によって、前記第１の鍔片が前記上部垂下片および下部起立片に対し、第２の鍔片が前記上部Ｌ字状支持片および下部Ｌ字状支持片に対し、それぞれ同一水平面内で重なるように構成されてなることを特徴とする。
【０００７】
この構成により、前記第１の鍔片および第２の鍔片が、前記上部垂下片および下部起立片と、上部Ｌ字状支持片および下部Ｌ字状支持片とに同一水平面内でそれぞれ重ならないようにしながら（干渉しないようにしながら）、第１の鍔片が前記補強片に当たるまで、ハンガバー先端部を前記第２の空隙および第１の空隙に挿入することで、このようなハンガバーの挿入位置では、ハンガバーの先端部の第１の空隙および第２の空隙への装着およびこれらの各空隙からの脱抜が自由となる。
【０００８】
これに対しハンガバーを、前記第１の鍔片および第２の鍔片が、前記上部垂下片および下部起立片と、上部Ｌ字状支持片および下部Ｌ字状支持片とに同一水平面内でそれぞれ重なるように回動操作すると、第１の鍔片および第２の鍔片は上部垂下片、下部起立片および上部Ｌ字状支持片、下部Ｌ字状支持片から前記前部開口方向への移動が規制される。従って、ハンガバーが棚板保持部から不用意に脱抜することはない。
【０００９】
この状態では、ハンガバーの先端部は前記第１の空隙および第２の空隙内に確実に保持されるため、仮にハンガバーに商品などの重量負荷が掛かっても上部垂下片、下部起立片および上部Ｌ字状支持片、下部Ｌ字状支持片が撓んで開くようなことはなく、その第１の空隙や第２の空隙からハンガバーの先端部が不用意に脱出するのを確実に回避することができる。また、このハンガバー保持装置に対するハンガバーの装着および取り外しはハンガバーの単純な回動操作のみで任意かつ速やかに実施できる。
【発明の効果】
【００１０】
本発明によるハンガバー保持装置によれば、ベース片の補強を図ることができ、従って、ハンガバーの装着中はハンガバー自体の重量を含めてこのハンガバーに負荷される商品の重量を、十分に安定的に支持することができるとともに、このハンガバーの着脱を容易、迅速に実施できるという効果が得られる。
【発明を実施するための最良の形態】
【００１１】
以下に、本発明の実施形態によるハンガバー保持装置を、図面を参照しながら詳細に説明する。
図１は、本発明の実施形態によるハンガバー保持装置にハンガバーを装着した状態の斜視図、図２は、同じくハンガバー保持装置にハンガバーを装着した状態を拡大して示す縦断面図、図３は、ハンガバー保持装置を示す斜視図、図４は、ハンガバーを示す斜視図、図５は、図４におけるハンガバーの正面図、図６は、図４におけるハンガバーの平面図、図７は、図４におけるハンガバーの右側面図、図８は、ハンガバーをハンガバー保持装置に保持させる手順を示す説明図、図９は、ハンガバー保持装置のＣ型鋼材に対する組付け状況を示す説明図、図１０は、ハンガバーのガタ付き防止用のストッパを示す斜視図、図１１は、ガタ付き防止ストッパによるガタ付き防止構造を示すハンガバー保持装置の正面断面図である。
【００１２】
本実施形態によるハンガバー保持装置Ａは、全体として鋼材やアルミ材などの押し出し成形により得られ、室内等の被取付面、例えばＣ型鋼材１０の前面に水平配置され、かつ固定される。このハンガバー保持装置Ａは、１枚のベース片１と、このベース片１前面の上下端部に一体に設けられた化粧板固定部としての矩形筒状の支持台部２、３と、これらの支持台部２、３の互いに対向する部位にそれぞれ一体に連設されて、一部がこれらと共用される、ベース片固定部としての（小型の矩形筒状の）取付台部４、５と、これらの取付台部４、５間に一体に連設された棚板保持部６とを有する。取付台部４、５は矩形筒状をなすが、前記支持台部２、３の前壁２ａ、３ａに比べて取付台部４、５の前部壁４ａ、５ａはＣ型鋼材側へ後退している。
【００１３】
そして、これらの支持台部２、３、取付台部４、５および棚板保持部６は、ベース片１の中心線Ｌに対して対称配置されている。これにより、このハンガバー保持装置Ａの上下の向きが異なることによる取付ミスを未然に回避でき、取付作業を効率化できる。この支持台部２、３の前面には化粧板７、８が当接され、この化粧板７、８を通してネジ９をその支持台部２、３にねじ込むことにより、化粧版７、８が支持台部２、３にそれぞれ固定される。
【００１４】
取付台部４、５の前部壁４ａ、５ａは、前述のように支持台部２、３の前部壁２ａ、３ａよりベース片１側に後退した位置に臨み、その前部壁４ａ、５ａの中心部にはねじ挿通用のガイド溝（Ｖ溝）４ｂ、５ｂが形成されている。取付台部４、５は、これらのガイド溝４ｂ、５ｂから前記Ｃ型鋼材１０にネジ１１をねじ込むことで固着される。これにより、ハンガバー保持装置Ａが垂直方向に配列した複数本の前記Ｃ型鋼材１０に水平に固定される。これらの前部壁４ａ、５ａはベース片１のたわみ防止機能を合わせ持つ。
【００１５】
ベース片１前方の取付台部４、５間には、ベース片１との間に所定幅の空隙Ｇ３を介在するように垂直方向に補強片１２が一体に設けられている。この補強片１２は、商品陳列用のハンガバーまたは棚板に負荷される荷重を受けて、ベース片１自体が変形するのを防止するように機能する。
【００１６】
更に、この補強片１２前方の取付台部４、５にはその補強片１２から所定幅の第１の空隙Ｇ１を介して、それぞれ上部垂下片１３および下部起立片１４が垂直方向に突設されている。これらの上部垂下片１３および下部起立はサイズや形状が同一であり、これらの間には後述のハンガバーの第１の鍔片を通過および保持させるための間隙１５が介在されている。
【００１７】
上部垂下片１３および下部起立片１４の前方にはこれらから更に所定幅の第２の空隙Ｇ２を介してそれぞれ上部Ｌ字状支持片１６および下部Ｌ字状支持片１７が、互いに対称配置となるように突設されている。ここで各Ｌ字状支持片１６、１７の垂直片１６ａ、１７ａの前面は、支持台部２、３の前部壁２ａ、３ａの前面と同一の垂直面内にあり、前記化粧版７、８の裏面を均等の圧力で支持可能にしている。
【００１８】
各Ｌ字状支持片１６、１７の水平片１６ｂ，１７ｂはサイズや形状が同一で対称配置され、かつ所定の間隙１８をおいて配置される。この間隙１８は前記上部垂下片１３および下部起立片１４間の間隙１５と略同一寸法とされている。なお、水平片１６ｂ，１７ｂの水平方向長は化粧板７、８の厚みに対応した長さとする。
【００１９】
一方、ハンガバー保持装置Ａに対し図１および図２に示すように保持されるハンガバーＢは、図４〜図７に示すように構成されている。このハンガバーＢは、矩形断面の長軸部１９と、この長軸部１９に連続し、この長軸部より細くて短いサイズの正方形断面の短軸部２０と、この短軸部２０端に連設された第２の鍔片２２と、この第２の鍔片２２に間隙２３を介在するように連設された第１の鍔片２１と、を有する。
【００２０】
これらのうち長軸部１９は、商品陳列用の棚板を載置したり、長軸部１９に突設された係止ピン２４から滑り落ちないように商品を吊持したりする。短軸部２０は、各Ｌ字状支持片１６、１７の水平片１８ｂ、１７ｂ間に挿入された状態にて、その水平片１７ｂ上に安定支持される。また、この短軸部２０は、略正四角形をなし、その対角線の長さは前記間隙１８の間隔より僅かに小さい。
【００２１】
第１の鍔片２１および第２の鍔片２２は、上端部が半円形の円弧面２１ａ、２２ａとされ、下端部は両隅が丸い水平面２１ｂ、２２ｂとされている。第１の鍔片２１は、図５に示すように、正面から見て前後面に垂直なカット面２５を有し、これらのカット面２５間の幅は図６の平面図に示すように、短軸部２０の幅Ｗ１に略等しい。長軸部１９は、この短軸部２０より少し太めに形成されている。
【００２２】
第１の鍔片２１のカット面２５とは反対側（図５では左端面）は、上半部の所定位置から下端に至る補強用の肉厚部２６が一体に設けられている。この肉厚部２６は上端から下端に向けて厚みが僅か大きくなるような傾斜面２６ａとなっている。これは回転するために傾斜させないと抜けなくなるためである。
【００２３】
第１の鍔片２１と第２の鍔片２２との間隙２３には、第１の鍔片２１に連続する、前記短軸部２０と同形、同サイズの連結軸部２７が臨んでいる。この連結軸部２７は、これの下部に所定厚みでかつ短軸部２０と同一幅の補強片２７ａが一体に設けられている。従って、第１の鍔片１の下部と補強片２７ａとの間には、図５に示すように、第１の鍔片２１および第２の鍔片２２の各上部間の間隙２３から肉厚部２６方向（図中、左方向）へオフセットした間隙２８が作られる。
【００２４】
第２の鍔片２１は、第１の鍔片２１に対して間隙２３をおいて連結軸２７に連続するように設けられ、第１の鍔片２１に対して側面方向から見て略同一形状をなす。この第２の鍔片２２は下半部に厚み方向のカット面２９を持ち、従って、この部位で肉薄部３０となっている。この肉薄部３０には、前記補強片２７ａが連続している。
【００２５】
第１の鍔片２１および第２の鍔片２２は、図７に示すように、縦方向の長さ（高さ）Ｌ１が、ハンガバー保持装置Ａにおける上部垂下片１３および下部起立片１４間の間隙１５や各Ｌ字状支持片１６、１７の間隙１８を水平方向に通過不可能なサイズであるが、前記間隙Ｇ１、Ｇ２内に収納可能なサイズである。一方、第１の鍔片２１および第２の鍔片２２の横方向の長さ（幅）Ｌ２は、上部垂下片１３および下部起立片１４間の間隙１５や各Ｌ字状支持片１６、１７の間隙１８を水平方向に通過できるサイズである。
【００２６】
また、短軸部２０および連結軸２７の下面から各鍔片２１、２２の下端までの長さＬ３は、前記下部起立片１４によって隔成された空隙Ｇ１、Ｇ２の深さＤ１に略等しい。さらに短軸部２０の一つの角部から各鍔片２１、２２の円弧面２１ａ、２２ａのうちその角部との距離が最長となる点までの長さＬ４を、前記上部Ｌ字状支持片１６および下部Ｌ字状支持片１７の各水平片１６ｂ、１７ｂ間の間隙Ｄ１と前記深さ１８とを加えた長さより小さくする。
【００２７】
かかる構成になるハンガバー保持装置Ａに対し、ハンガバーＢは次のようにして組みつけられる（保持される）。
先ず、図１および図９に示すように、被取付部材としての垂直方向に長いＣ型鋼材１０を、水平方向に複数本配設し、ハンガバー保持装置ＡをこれらのＣ型鋼材１０に対して水平状態に固定する。この固定は、ベース片１をＣ型鋼材１０の前面に当接し、取付台部４、５の各ガイド溝４ｂ、５ｂおよびベース片１を貫通して、ネジ１１をＣ型鋼材１０にねじ込むことにより行われる。
【００２８】
続いて、化粧板７、８を用意し、化粧板７の下端部を上部Ｌ字状支持片１６の水平片１６ｂ上に当接させる。また、化粧板７の裏面を支持台部２の前部壁２ａ前面と、上部Ｌ字状支持片１６の垂直片１６ａ前面に当接させる。同様にして、化粧板８の上端を下部Ｌ字状支持片１７の水平片１７ｂの下面に当接させる。また、化粧板８の裏面を支持台部３の前部壁３ａ前面と下部Ｌ字状支持片１７の垂直片１７ａの前面に当接させる。
【００２９】
そして、これらの化粧板７、８の表面側から、図２に示すように、前部壁２ａ、３ａにネジ９をねじ込む。これにより各化粧板７、８がハンガバー保持装置Ａに固定される。
【００３０】
次に、ハンガバー保持装置ＡにハンガバーＢを組付ける手順を説明する。
先ず、図８（ａ）に示すように、ハンガバーＢの先端をハンガバー保持装置Ａの上部Ｌ字状支持片１６および下部Ｌ字状支持片１７間の前部開口に臨ませる。このとき第１の鍔片２１および第２の鍔片２２が寝るように（横になる方向に）、つまり各円弧面２１ａ、２２ａが横向きとなるように長軸１９をその軸芯の廻りに回動操作する。
【００３１】
続いて、第１の鍔片２１および第２の鍔片２２を上部Ｌ字状支持片１６の水平片１６ｂおよび下部Ｌ字状支持片１７の水平片１７ｂ間にこれらの前部開口側から矢印Ｐ方向に挿し入れるように長軸１９を操作する。この操作によって、第１の鍔片２１の傾斜面２６ａの一部が補強片１２の前面に当たる。
【００３２】
続いて、長軸１９を軸芯の廻りに９０°の角度分、矢印Ｑ方向に回動操作し、各円弧面２１ａ、２２ａ側を上方に位置させる。これにより各鍔片２１、２２の水平片２１ｂ、２２ｂは空隙Ｇ１、Ｇ２を形成する棚板保持部６の底部に支持される。また、第１の鍔片２１は空隙Ｇ１内に、第２の鍔片２２は空隙Ｇ２内にそれぞれ介在され、連結軸２７は上部垂下片１３および下部起立片１４を跨ぐ状態になる。
【００３３】
従って、この状態では、第１の鍔片２１および第２の鍔片２２は、上部が上部垂下片１３および上部Ｌ字状支持片１６の垂直片１６ａに対し水平方向に重なり、下部が下部起立片１４および下部Ｌ字状支持片１７の垂直片１７ａに対し水平方向に重なる。従って、この状態では、これらの鍔片２１、２２が水平片１６ｂ、１７ｂ間から不用意に外方に脱抜することはない。
【００３４】
この状態では、前記傾斜面２６ａは補強片１２の前面に略密接し、各円弧面２１ａ、２２ａ側では各鍔片２１、２２が上部垂下片１３および上部Ｌ字状支持片１６の垂直片１６ａの各内面（背面）に密接可能な状態になる。さらに、第２の鍔片２２の補強片２７ａが下部起立片１４の前面に密接可能な状態になる。従って、長軸１９に棚板を載せたり商品を吊り下げたりして大きな荷重がかかった場合でも、ハンガバーＢはその荷重を受けて傾くことはなく、常に水平状態を維持することとなる。
【００３５】
なお、棚板保持部６に対するハンガバーＢの、図１および図２に示すような取付状態においては、短軸部２０と上部Ｌ字状支持片１６の水平片１６ｂとの間に間隙Ｈが生じる。このため、図１０（ａ）に示すコ字状のストッパ４１（短軸部２０を所定長分長くした場合に使用可能）や図１０（ｂ）に示すＬ字上のストッパ部材４２を用意し、これらを図１１（ａ）、（ｂ）に示すように短軸部２０を包むように前記間隙Ｈに介在することで、短軸部２０と上下部の水平片１６ｂ、１７ｂとの間でのガタ付きを、より確実に防止することができる。
【００３６】
このように、本実施形態のハンガバー保持装置は、板状のベース片１と、このベース片１前面の上下部に一体に設けられた化粧板固定部２、３と、これらの化粧板固定部２、３の互いに対向する位置の前記ベース片１前面にそれぞれ一体に設けられて、前記ベース片１とともに前記被取付面にねじ固定されるベース片固定部４、５と、これらのベース片固定部４、５間に介在されるように前記ベース片１の前方に垂直に連設された補強片１２と、これらのベース片固定部４、５間に介在されるように、前記補強片１２の前方に第１の空隙Ｇ1を介して垂直に連設された上部垂下片１３および下部起立片１４と、これらのベース片固定部４、５間に介在されるように、前記上部垂下片１３および下部起立片１４の前方に第２の空隙Ｇ２を介して対称配置された上部Ｌ字状支持片１６および下部Ｌ字状支持片１７と、を備え、前記上部Ｌ字状支持片１６および下部Ｌ字状支持片１７間の前部開口から前記ハンガバーＢ先端の第１の鍔片２１を前記第１の空隙Ｇ１内に、また、前記ハンガバーＢ先端部の第２の鍔片２２を前記第２の空隙Ｇ２内にそれぞれ挿入させ、続く前記ハンガバーＢの回動によって、前記第１の鍔片２１が前記上部垂下片１３および下部起立片１４に対し、第２の鍔片２２が前記上部Ｌ字状支持片１６および下部Ｌ字状支持片１７に対し、それぞれ同一水平面内で重なるように構成したものである。
【００３７】
従って、ハンガバーＢを回動操作し、前記第１の鍔片２１および第２の鍔片２２が、前記上部垂下片１３および下部起立片１４と、上部Ｌ字状支持片１６および下部Ｌ字状支持片１７とに同一水平面内でそれぞれ重なるようにすると、第１の鍔片２１および第２の鍔片２２は上部垂下片１３、下部起立片１４および上部Ｌ字状支持片１６、下部Ｌ字状支持片１７から前記開口方向への移動が規制される。従って、ハンガバーＢが棚板保持部から不用意に脱抜することを防止できることとなる。また、補強片１２や前部壁４ａ、５ａの設置によってベース片１の変歪を確実に防止でき、従って、ハンガバーＢ自体の重量を含めてこのハンガバーＢに負荷される重量商品を、十分に安定的に支持することができる。
【産業上の利用可能性】
【００３８】
本発明は、ベース片の変歪を防止でき、ハンガバー自体の重量を含めてこのハンガバーに負荷される重量商品を、十分に安定的に支持することができるという効果を有し、商品陳列用のハンガバーをＣ型鋼材等に着脱可能に水平保持するハンガバー保持装置等に有用である。
【図面の簡単な説明】
【００３９】
【図１】本発明の実施形態によるハンガバー保持装置にハンガバーを装着した状態を示す斜視図である。
【図２】本発明の実施形態によるハンガバー保持装置にハンガバーを装着した状態を拡大して示す縦断面図である。
【図３】図２に示すハンガバー保持装置を拡大して示す斜視図である。
【図４】図１に示すハンガバーの斜視図である。
【図５】図１に示すハンガバーを拡大した正面図である。
【図６】図１に示すハンガバーを拡大した平面図である。
【図７】図１に示すハンガバーを拡大した右側面図である。
【図８】本発明の実施形態によるハンガバー保持装置にハンガバーを装着する手順を示す説明図である。
【図９】本発明の実施形態によるハンガバー保持装置のＣ型鋼材に対する組付け方法を示す説明図である。
【図１０】本発明の実施に利用するストッパ部材を示す斜視図である。
【図１１】図１０に示すストッパ部材のハンガバー保持装置に対する装着状態を示す説明図である。
【符号の説明】
【００４０】
Ａ  ハンガバー保持装置
Ｂ  ハンガバー
Ｇ１、Ｇ２  空隙
１  ベース片
２、３  支持台部（化粧坂固定部）
２ａ、３ａ  前部壁（ベース片固定部）
４、５  取付台部
４ａ、５ａ  前部壁
４ｂ、５ｂ  ガイド溝
６  棚板保持部
７、８  化粧坂
９、１１  ネジ
１０  Ｃ型鋼材
１２  補強片
１３  上部垂下片
１４  下部起立片
１５  間隙
１６  上部Ｌ字状支持片
１６ａ  垂直片
１６ｂ  水平片
１７  下部Ｌ字状支持片
１７ａ  垂直片
１７ｂ  水平片
１８  保持間隙
１９  長軸部
２０  短軸部
２１  第１の鍔片
２２  第２の鍔片
２３  間隙
２４  係止ピン
２５  カット面
２６  肉厚
２６ａ  傾斜面
２７  連結軸
２８  間隙
２９  カット面
３０  肉薄部
４１  コ字状のストッパ
４２  Ｌ字状のストッパ
【図１】
2010094431.tif 000003
【図２】
2010094431.tif 000004
【図３】
2010094431.tif 000005
【図４】
2010094431.tif 000006
【図５】
2010094431.tif 000007
【図６】
2010094431.tif 000008
【図７】
2010094431.tif 000009
【図８】
2010094431.tif 000010
【図９】
2010094431.tif 000011
【図１０】
2010094431.tif 000012
【図１１】
2010094431.tif 000013